(57)【特許請求の範囲】
【請求項１】
引戸の上端又は下端から突出し施錠するロック部材に連結される引戸用施錠装置であっ  て、
前記ロック部材に連結されるロッド部は、操作部の操作によって上下動可能となるよう  、収容ケース内に収容されるガイド部に摺動可能に支持され、
前記操作部は、前記ロッド部が摺動可能な方向に対して垂直な方向において対向配置さ  れ前記収容ケースの外側に少なくとも一部が配設される受け部とによって、前記ロッド  部を挟持して、
前記操作部は、前記受け部に設けられた受け部固定用孔から固定手段を挿通し、前記ロ ッド部に設けられた貫通孔を介して、前記操作部基部に設けられ前記操作部を貫通しな い操作部固定用孔を挿通することにより、前記ロッド部に固定され、
前記操作部の施錠位置と開錠位置とで夫々係止可能な係止機構は、前記ロッド部と前記  ガイド部のいずれか一方に設置される係止突部と、他方に設けられ前記係止突部が係止  する係止段部とから構成される
ことを特徴とする引戸用施錠装置。
【請求項２】
前記ロッド部は、前記ガイド部の少なくとも上下端部にて支持され、
前記係止機構は、前記上下端部から拡幅されて形成される内壁面と前記ロッド部によっ  て形成される内部空間に設置される請求硬１に記載の引戸用施錠装置。
【発明の詳細な説明】
【技術分野】
【０００１】
本発明は、引戸の施錠装置に係るものであって、特に上吊り式引戸の施錠装置に関するものである。
【背景技術】
【０００２】
従来より、引戸の施錠装置として、例えば、引戸の端部に固定ケースを内蔵させ、固定ケースに設けた施錠ロータの鍵孔にキーハンドルを挿入し、キーハンドルの回転操作によって固定ケースに収容したスライダーが上下方向に駆動され、スライダーに連結した連結部材が固定枠体側の受金部に係合するスライド扉用ロック装置において、連結部材が連結されるスライダーの先端部を固定ケースの側面板部のスロットから戸当り部の空洞内に突出させて配置し、連結部材の連結と長さ調整後に戸当り部の端面開口部をパッキング部材で閉塞するものが公知である（特許文献１参照）。
【先行技術文献】
【特許文献】
【０００３】
【特許文献１】特許第３０２３１０１号
【発明の概要】
【発明が解決しようとする課題】
【０００４】
しかしながら、上記構造では、施錠ロータの側面部に突設された駆動アーム部をキーハンドルによって回動させることで、上位側スライダーの下方移動によって上位側の連結部材が下方移動して先端部が固定枠体の上部側の受金部から引き抜かれるとともに、下位側スライダーの上方移動によって下位側の連結部材が上方移動して先端部が固定枠体の下部側の受金部から引き抜かれて、固定枠体に対する引戸の施錠が解除されるものであり、引戸に対してキーハンドルが必要であることから外観の意匠性を高くすることが困難なうえ、施錠装置の内部構造が複雑なものとなり、コストの増大が懸念されるものであった。
【０００５】
そこで、本発明はこのような問題点を解決するものであって、簡易な構造を採用し、引戸における外観の意匠性を良好なものとするとともに、引戸への取付作業を容易に行うことができる引戸用施錠装置を提供することを課題とする。
【課題を解決するための手段】
【０００６】
前記問題点を解決するために、本発明の請求項１に記載の引戸用施錠装置は、引戸  の上端又は下端から突出し施錠するロック部材に連結される引戸用施錠装置であって、  前記ロック部材に連結されるロッド部は、操作部の操作によって上下動可能となるよう  、収容ケース内に収容されるガイド部に摺動可能に支持され、前記操作部は、前記ロッ  ド部が摺動可能な方向に対して垂直な方向において対向配置され前記収容ケースの外側  に少なくとも一部が配設される受け部とによって、前記ロッド部を挟持して、
前記操作部は、前記受け部に設けられた受け部固定用孔から固定手段を挿通し、前記ロ ッド部に設けられた貫通孔を介して、前記操作部基部に設けられ前記操作部を貫通しな い操作部固定用孔を挿通することにより、前記ロッド部に固定され
前記操作部の施錠位置と開錠位置とで夫々係止可能な係止機構は、前記ロッド部と前記  ガイド部のいずれか一方に設置される係止突部と、他方に設けられ前記係止突部が係止  する係止段部とから構成されることを特徴とするものである。
【０００７】
また、本発明の請求項２に記載の引戸用施錠装置は、請求項１に記載の引戸用施錠装置において、前記ロッド部は、前記ガイド部の少なくとも上下端部にて支持され、前記係止機構は、前記上下端部から拡幅されて形成される内壁面と前記ロッド部によって形成される内部空間に設置されるものである。
【発明の効果】
【０００９】
本発明の引戸用施錠装置では、収容ケースに収容されるガイド部とロッド部に設置される係止突部及び係止段部によって、施錠位置と開錠位置とを切り替える係止機構を構成するので、従来のものと比較して内部構造を簡易なものとすることができる。また、当該係止機構は、収容ケースから露呈することがないので、外観上の意匠においても良好なものとなる。
【００１０】
また、引戸への取付作業においては、引戸の挿通孔に収容されて固定される収容ケースに対して、ケース外側からロッド部に対して操作部を固定するだけでよいので、取付作業を容易なものとすることができる。
【図面の簡単な説明】
【００１１】
【図１】本発明の実施例における引戸用施錠装置を設置した引戸の正面図である。
【図２】本発明の実施例における引戸用施錠装置の分解斜視図である。
【図３】本発明の実施例における引戸用施錠装置の左右方向の縦断面図である。
【図４】本発明の実施例における引戸用施錠装置の前後方向の縦断面図である。
【図５】本発明の実施例における引戸用施錠装置を戸先側フレームに設置した斜視図である。
【図６】本発明の実施例における引戸用施錠装置の図５の平面図である。
【図７】本発明の実施例における引戸用施錠装置の操作部を別仕様とした（ａ）斜視図、（ｂ）背面図である。
【図８】本発明の実施例における引戸用施錠装置の操作部を更に別仕様とした（ａ）斜視図、（ｂ）背面図である。
【発明を実施するための形態】
【実施例】
【００１２】
以下、本発明の実施の形態における引戸用施錠装置を図面に基づいて説明する。当該引戸用施錠装置は、図１に示すように、引戸Ｄの戸先側フレームＤ１の内部に設置されるものであって、戸先側フレームＤ１から露呈する操作部７０を操作することによって、連結部材５５の先端にストッパ５６を有するロック部材を引戸Ｄの上端から進退させて上枠Ｄ２のストッパ孔Ｄ４に出入させ、引戸Ｄの施錠又は開錠を行うものである。
【００１３】
当該引戸用施錠装置において、上枠Ｄ２が設けられる側を当該装置の上方とし、床面Ｇ側を当該装置の下方とする。また、引戸Ｄの幅方向を当該装置の左右方向とする。また、引戸用施錠装置を引戸Ｄに設置した状態において、操作部７０側を当該装置の前方とし、他方を後方とする。
【００１４】
当該引戸Ｄは、上枠Ｄ２、上枠Ｄ２の左右に位置する竪枠Ｄ３からなる戸枠に対して、左右方向に開閉可能となるよう設置される。また、引戸Ｄは、上枠Ｄ２の内部に設置されるガイドレール（図示しない）から吊車（図示しない）を介して吊下する上吊り式の引戸であって、床面Ｇとの間に間隙を形成している。
【００１５】
なお、引戸Ｄは、間隙を生じさせない上吊り式引戸であってもよく、上下の鴨居、敷居や、ガイドレールを介して左右に開閉する一般的な引戸等であってもよいのは勿論である。
【００１６】
本発明に係る引戸用施錠装置は、図２に示すように、引戸Ｄの戸先側フレームＤ１の内部に設置される収容ケース１０と、収容ケース１０内に収容されるガイド部４０と、ガイド部４０に摺動可能に支持されるロッド部５０と、ロッド部５０を操作する操作部７０と、操作部７０の操作により施錠位置と開錠位置において、ガイド部４０とロッド部５０とを係止する係止機構とから構成される。
【００１７】
収容ケース１０は、図２から図４に示すように、例えば、略直方体状に形成されており、ガイド部４０を収容し得るよう、一方が開口して形成されるケース本体２０をケース蓋３０にて閉塞することで形成される。
【００１８】
ケース本体２０は、例えば、鋼板を折曲させて形成される。具体的には、ケース本体２０は、矩形状の前面壁２１の上下端部から延設されて折曲される上面壁２２、下面壁２３と、左右端部から延設されて折曲される左面壁２４、右面壁２５とから構成される。また、上面壁２２、下面壁２３は、略中央部に上下動可能となるロッド部５０を挿通し得るよう、左右方向に分割して形成される。
【００１９】
ケース蓋３０は、ケース本体２０と同様にして、例えば鋼板からなる。当該ケース蓋３０は、前面壁２１に対向する後面壁とされ、左面壁２４、右面壁２５の一部を折曲させてかしめることで、ケース本体２０とケース蓋３０とを一体とし、収容ケース１０を形成する。また、その他の嵌め込み、接着、溶着等の固定手段により、ケース本体２０とケース蓋３０とを一体化することができるのは勿論である。
【００２０】
また、ケース本体２０には、ロッド部５０に固定される操作部７０の基部７１を挿通するための開口孔２６が設けられる。当該開口孔２６は、ロッド部５０の施錠位置又は開錠位置にて、操作部７０の基部７１が緩衝することないよう所定箇所に形成される。更に、収容ケース１０を戸先側フレームＤ１に固定するために、前面壁２１、左面壁２４、右面壁２５に固定用孔２７、２８を所定箇所に設けることもできる。当該固定用孔２７、２８は、貫通孔又はネジ孔とされる。
【００２１】
一方、ケース蓋３０には、ロッド部５０に固定される受け部７３の基部７４を挿通するための開口孔３１が同様にして所定箇所に設けられる。更に、収容ケース１０を戸先側フレームＤ１に固定するために、ケース蓋３０に固定用孔２７に対応する固定用孔（図示しない）を所定箇所に設けることもできる。
【００２２】
ガイド部４０は、ケース本体２０の内側空間と略同等の外形を有してなり、耐疲労性、耐摩耗性に優れ、摩擦係数の小さな樹脂材料、例えば、ジュラコン（登録商標）から形成される。当該ガイド部４０は、図３に示すように、左右方向における略中央部にロッド部５０を挿通し得る凹部（図示しない）を有してなり、当該凹部の少なくとも上端部４１、下端部４２は、ロッド部５０を摺動可能に支持するよう、ロッド部５０の外形を略同等となるよう形成される。
【００２３】
また、ガイド部４０における上端部４１、下端部４２の間には、少なくとも左右方向のいずれか一方に上端部４１と下端部４２から外側方向へ拡幅させて窪ませた内壁面４３が形成される。当該内壁面４３とロッド部５０との間は内部空間とされ、当該内部空間内に係止機構が設置される。
【００２４】
当該内壁面４３には、ロッド部５０の施錠位置にて弾性部材６０の係止突部６１を係止する第１係止段部４４と、開錠位置にて係止突部６１を係止する第２係止段部４５とが設けられる。また、第１係止段部４４と第２係止段部４５との間は、係止突部６１が摺動し得る摺動面とされる。更に、第１係止段部４４と第２係止段部４５は、左右方向における内壁面４３の双方に設けることもできる。これにより、ロッド部５０の係止力を向上させることができる。
【００２５】
更に、第１係止段部４４における上方の内壁面４３には、ロッド部５０に弾性部材６０を固定する際の固定手段６２となるネジ部が当接し得る当接壁４６を設けることもできる。これにより、弾性部材６０の付勢力に抗した状態で係止突部６１が第１係止段部４４から離脱し、ロッド部５０が上方へと可動するのを防止することができる。
【００２６】
更に、第２係止段部４５における下方の内壁面４３には、弾性部材６０の係止突部６１が当接し得る当接壁４６を設けることもできる。これにより、弾性部材６０の付勢力に抗した状態で係止突部６１が第２係止段部４５から離脱し、ロッド部５０が下方へと可動するのを防止することができる。
【００２７】
また、ガイド部４０には、収容ケース１０を戸先側フレームＤ１に固定するために、ケース本体２０、ケース蓋３０の固定用孔に夫々対応する貫通孔４７を所定箇所に設けることもできる。更に、収容ケース１０を戸先側フレームＤ１に固定する際、左面壁２４、右面壁２５の固定用孔２８に固着されるネジ等がガイド部４０に緩衝しないよう、切欠部４８を所定箇所に設けることもできる。
【００２８】
また、図４に示すように、ガイド部４０の凹部に嵌め込まれるロッド部５０における後方側の一部を覆設するようガイド蓋４９が上端部４１、下端部４２の近傍に設けられ、当該ガイド蓋４９と対向する前方側には操作部７０の基部７１を挿通する開口孔が設けられる。当該ガイド蓋４９においても、ガイド部４０と同様にして、耐疲労性、耐摩耗性に優れ、摩擦係数の小さな樹脂材料から形成される。
【００２９】
ロッド部５０は、図２から図４に示すように、ガイド部４０の凹部に対応するような外形を有するとともに、上下端部が収容ケース１０から露呈するようにして形成され、例えば、角柱状に形成される。当該ロッド部５０上端部には、図１に示すストッパ５６が設置された連結部材５５を固定するための固定用孔５１が軸方向に設けられる。また、当該固定用孔５１をロッド部５０の下端部に設けることもできる。
【００３０】
また、ロッド部５０には、係止機構を構成する弾性部材６０を固定するための固定用孔５２が軸方向に直交するようにして形成される。当該固定用孔５２は、貫通孔又はネジ孔とされ、軸、ネジ等からなる固定手段６２によって弾性部材６０がロッド部５０に固定される。
【００３１】
更に、ロッド部５０には、操作部７０の基部７１と受け部７３の基部７４とをロッド部５０に対して位置決めするための凹状の段部５３が前後方向における端面の夫々から設けられる。また、当該段部５３には、操作部７０と受け部７３をロッド部５０に固定する際、ネジ等の固定手段７６を挿通するための貫通孔５４が設けられる。
【００３２】
弾性部材６０は、図３に示すように、例えば、板バネからなり、ロッド部５０に固定された状態で、先端部に設けられる断面視円弧状の係止突部６１がロッド部５０から離間するよう構成されるとともに、弾性部材６０の付勢力に抗した状態で係止突部６１が内壁面４３、第１係止段部４４及び第２係止段部４５に当接するよう構成される。弾性部材６０は、板バネに限られることなく、合成樹脂等から構成されるものであってもよいのは勿論である。
【００３３】
操作部７０は、収容ケース１０の外側からロッド部５０に固定され、ロッド部５０を施錠位置又は開錠位置へと操作するものである。当該操作部７０は、図２及び図４に示すように、ロッド部５０に対する位置決めとなる段部５３に対応する基部７１を有してなり、基部７１には、軸、ネジ等からなる固定手段７６を挿通するための固定用孔７２が設けられる。
【００３４】
また、操作部７０は、対向する収容ケース１０の外側に位置し、ロッド部５０を挟持して固定する受け部７３を備えてなる。当該受け部７３は、操作部７０と同様にして、ロッド部５０の段部５３に対応する基部７４を有してなり、基部７４には、軸、ネジ等からなる固定手段７６を挿通するための固定用孔７５が設けられる。
【００３５】
このようにして構成される引戸用施錠装置は、図５及び図６に示すようにして、戸先側フレームＤ１に取り付けられる。具体的には、戸先側フレームＤ１の挿通孔Ｄ５に収容ケース１０を収容した状態で、左面壁２４の固定用孔２８を介してネジＤ６によって、収容ケース１０を戸先側フレームＤ１に取り付ける。
【００３６】
そして、収容ケース１０のケース蓋３０側からロッド部５０の段部５３に受け部７３の基部７４を当接させるとともに、フレーム前面Ｄ７の切欠（図示しない）から露呈する段部５３に操作部７０の基部７１を当接させた状態で、後方側から固定手段７６によって、操作部７０及び受け部７３をロッド部５０に固着する。これにより、前方側となる操作部７０側に固定手段７６が露呈することなく、意匠性を良好なものとすることができる。
【００３７】
また、ロッド部５０は、前後左右の端面がガイド部４０及びガイド蓋４９に当接した状態で収容されるので、ロッド部５０を上下動させる際において、操作性に優れたものとなる。
【００３８】
このとき、図６に示すように、フレーム前面Ｄ７からユーザの引手となるフレーム段部Ｄ８を介して前方に形成されるフレーム最前面Ｄ９と操作部７０の前面とが面一となるよう設置される。また、操作部７０とフレーム最前面Ｄ９が面一となるよう設置されるものに限られることなく、少なくともフレーム最前面Ｄ９から突出しないように設置することで、引戸Ｄにおける外観の意匠性を良好なものとすることができる。
【００３９】
また、引戸用施錠装置の施錠又は開錠においては、操作部７０を操作することで行われる。詳細には、図１に示すように、引戸Ｄの戸先側フレームＤ１を竪枠Ｄ３に当接させた状態で操作部７０を上方へと押し上げる。これにより、操作部７０と連結されるロッド部５０が上方へと移動することで、連結部材５５のストッパ５６が上枠Ｄ２のストッパ孔Ｄ４に嵌まり込み、施錠位置となる。このとき、図３に示すように、係止機構における弾性部材６０の係止突部６１がガイド部４０の第１係止段部４４に係止しているので、ロッド部５０に外力が加わることなく不用意に開錠されることはない。
【００４０】
一方、ロッド部５０の施錠位置から操作部５０を引き下げると、ロッド部５０が下方へと移動することで、連結部材５５のストッパ５６が上枠Ｄ２のストッパ孔Ｄ４から引き抜かれて、開錠位置となる。このとき、弾性部材６０の係止突部６１がガイド部４０の第１係止段部４４から第２係止段部４５へと移動して係止しているので、引戸Ｄが開閉可能な状態となる。
【００４１】
以上、説明した本発明に係る引戸用施錠装置によれば、収容ケース１０に収容されるガイド部４０とロッド部５０に設置される弾性部材６０によって、施錠位置と開錠位置とを切り替える係止機構を構成するので、従来のものと比較して内部構造を簡易なものとすることができる。
【００４２】
また、引戸Ｄに対しては、戸先側フレームＤ１から操作部７０のみが露呈するよう構成されるので、引戸Ｄにおける外観上の意匠性を良好なものとすることができる。また、引戸Ｄへの取付作業においては、戸先側フレームＤ１に設置される収容ケース１０に対して、ケース外側から操作部７０と受け部７３とを固定するだけでよいので、取付作業を容易なものとすることができる。
【００４３】
更には、収容ケース１０は、ケース外側にロッド部５０のみが露呈するよう構成されるので、小型化を図ることができるとともに、管理収容スペースを削減することができる。
【００４４】
また、従来の引戸用施錠装置には、竪枠Ｄ３の受け金具にデッドボルトを回転運動させることで施錠するものも多く存在するが、本発明に係る引戸用施錠装置では竪枠Ｄ３に受け金具を設置せず、上枠Ｄ２内に受け金具となるストッパ孔Ｄ４を設置するため、意匠性に優れたものとなるとともに、施工性においても良好なものとなる。
【００４５】
当該発明は、上述の実施形態の構成に限定されるものではなく、収容ケース１０、ガイド部４０、ロッド部５０、操作部７０及び係止機構の形状、寸法、材質等を適宜変更して実施することが可能である。例えば、係止機構は、ガイド部４０に設けられる第１係止段部４４、第２係止段部４５とロッド部５０に設けられる弾性部材６０の係止突部６１にて構成されるものであったが、これに限られるものではない。具体的には、ロッド部５０に第１係止段部、第２係止段部を設けるとともに、ガイド部４０に弾性部材を固定する構成とすることもできる。
【００４６】
また、操作部７０は、受け部７３との挟持によってロッド部５０に固定されるものであったが、受け部７３を介することなくロッド部５０に固定することもできるのは勿論である。
【００４７】
また、ストッパ孔Ｄ４を床面Ｇ側に設けるとともに、ストッパ５６を有する連結部材５５を収容ケース１０の下方から突出するロッド部５０の下端部に連結し、操作部７０の操作により引戸Ｄの下端からストッパ５６を進退させて床面Ｇ側で施錠する構成とすることもできる。
【００４８】
更に、操作部７０の形状は、図２及び図５に示す矩形状であったが、図７に示す正方形状とすることもできるし、図８に示す矩形状の角部を円弧状とした形状とすることもできるし、楕円形状等とすることもできる。すなわち、ユーザが操作しやすい形状であれば、特に制限されるものではない。
【００４９】
このとき、操作部７０以外の構造においては、上述した実施例における引戸用施錠装置の構造と略同様であるのは勿論であるし、これにおいて、ロッド部５０の形状は多種多様なものであることから、ロッド部５０以外の構造に意匠の創作性があり、美感を起こさせるものであるのは勿論である。また、収容ケース１０が略直方体状に形成されることから、底面視は平面視と、左面視は右面視と夫々対称にあらわれるものである。更に、収容ケース１０に形成される固定用孔２７、２８、ガイド部４０の貫通孔４７を形成しない態様とすることができるのも上述した実施例と同様である。
【００５０】
また、一部構成を省略することができるし、一部抽出した構成とすることができるのは勿論である。
【符号の説明】
【００５１】
１０    収容ケース
４０    ガイド部
４３    内壁面
５０    ロッド部
７０    操作部
７３    受け部
Ｄ      引戸
Ｄ２    上枠
【図１】
0006491854.tif 000002
【図２】
0006491854.tif 000003
【図３】
0006491854.tif 000004
【図４】
0006491854.tif 000005
【図５】
0006491854.tif 000006
【図６】
0006491854.tif 000007
【図７】
0006491854.tif 000008
【図８】
0006491854.tif 000009